(57)【特許請求の範囲】
【請求項１】
媒体を載置する媒体載置部と、
前記媒体載置部から媒体を送り出す給送ローラーと、
前記給送ローラーとの間で媒体をニップすることにより媒体を分離する分離ベルトを備えたベルトユニットと、
を備え、
前記ベルトユニットは、回転に抵抗が与えられた第１プーリーと、自由回転可能な第２プーリーと、前記第１プーリーと前記第２プーリーとに掛け回されている前記分離ベルトとを備え、
前記媒体を搬送する媒体給送経路は、媒体給送方向の上流から下流に向かって斜め下方向に延びており、
前記第１プーリーは媒体給送方向上流側に設けられ、前記第２プーリーは媒体給送方向下流側に設けられ、
前記分離ベルトと前記給送ローラーとの接触位置は、前記分離ベルトにおいて媒体給送方向上流側にある、
ことを特徴とする媒体給送装置。
【請求項２】
請求項１に記載の媒体給送装置において、
前記ベルトユニットは、前記第１プーリーの第１回転軸と前記第２プーリーの第２回転軸とが取り付けられる軸受部材とを備え、
前記軸受部材と接続し、前記ベルトユニットを前記給送ローラーに対して付勢する付勢手段を備え、
前記付勢手段の付勢力により、前記分離ベルトの前記給送ローラーへのテンションが調整される
ことを特徴とする媒体給送装置。
【請求項３】
請求項２に記載の媒体給送装置において、
前記付勢手段は、回転中心から外周面までの半径方向の距離が周方向に沿って変化する円盤状のカム部材を備え、
前記カム部材の回転により、前記分離ベルトの前記給送ローラーへの前記テンションが調整される
ことを特徴とする媒体給送装置。
【請求項４】
請求項２または請求項３に記載の媒体給送装置において、
エンボス加工が施された媒体を給送する場合、前記エンボス加工が施されていない媒体を給送する場合に比して前記付勢手段の前記付勢力を大きくする、
ことを特徴とする媒体給送装置。
【請求項５】
媒体を読み取る読み取り手段と、
前記読み取り手段の側へ媒体を給送する、請求項１から請求項４のいずれか一項に記載の媒体給送装置と、
を備えた画像読取装置。
【請求項６】
媒体に記録を行う記録手段と、
前記記録手段の側へ媒体を給送する、請求項１から請求項５のいずれか一項に記載の媒体給送装置と、
を備えた記録装置。
【発明の詳細な説明】
【技術分野】
【０００１】
本発明は、媒体を給送する媒体給送装置、並びにこれを備えた画像読取装置および記録装置に関する。
【背景技術】
【０００２】
以下、画像読取装置の一例であるスキャナーを例に説明する。スキャナーには、媒体の一例である原稿を自動送りする給送装置（ＡＤＦ（Auto Document Feeder）とも呼ばれる）が設けられ、複数枚の原稿の自動送りと読み込みとを行える様に構成される場合がある。
【０００３】
その様な給送装置の構成としては、特許文献１に示される様に、原稿を載置するトレイ（特許文献１では「シュータ１４」）と、当該トレイにセットされた原稿の面に接触して回転することにより、前記原稿を送り出す給送ローラー（特許文献１では「セットローラ２」）と、当該給送ローラーに接して原稿を分離する分離ローラー（特許文献１では「分離ローラ１２」）と、を備えたものがある。
【０００４】
特許文献１記載の給送ローラーは、トレイに積載された複数枚の用紙（用紙束）のうち、下側の用紙、すなわちトレイの載置面側の用紙から順に送るように構成されている。そして上側の用紙、すなわち分離されるべき用紙は、その先端が分離ローラーに当接して下流側への進行が妨げられる様になっている。
【先行技術文献】
【特許文献】
【０００５】
【特許文献１】特許４８２０３１４号公報
【発明の概要】
【発明が解決しようとする課題】
【０００６】
分離ローラーによる用紙の分離効果は、重送されようとする用紙と分離ローラーとの間の摩擦力によって発揮される。分離性能を向上させる為に前記摩擦力を増やすには、分離ローラーを給送ローラーに向けて付勢する付勢力を増やすことが考えられる。
【０００７】
しかしながら分離ローラーを給送ローラーに向けて付勢する付勢力を増やすと、重送されようとする用紙と分離ローラーとの間の摩擦力が増える為、それによる重送防止向上効果が得られる反面、用紙間の摩擦力も増えることから、重送傾向も一緒に増加してしまうという弊害がある。
【０００８】
また、前記摩擦力を増やす方策として、分離ローラーの材質を柔らかくし、重送されようとする用紙と分離ローラーとの間の接触長を増やすことが考えられる。分離ローラーの材質を柔らかくすると、それによる重送防止効果が得られる反面、重送されようとする用紙が分離ローラーを押し退け易くなり、やはり重送傾向も一緒に増加してしまうという弊害がある。
【０００９】
そこで本発明はこの様な問題に鑑み成されたものであり、その目的は、適切に分離性を向上する効果が得られる給送装置を提供することにある。
【課題を解決するための手段】
【００１０】
上記課題を解決する為の、本発明の第１の態様に係る媒体給送装置は、媒体を載置する媒体載置部と、前記媒体載置部から媒体を送り出す給送ローラーと、前記給送ローラーとの間で媒体をニップすることにより媒体を分離する分離ベルトを備えたベルトユニットとを備えることを特徴とする。
【００１１】
本態様によれば、分離ベルトを分離部材として、当該分離ベルトにより媒体を給送ローラーとの間でニップすることで媒体の分離を行うので、分離部材を給送ローラーに向けて付勢する付勢力を必要以上に増やすことなく、また、分離部材の材質を必要以上に柔らかくすることなく、媒体と分離部材との接触長を確保することができ、ひいては適切に分離性を向上する効果を得ることができる。
【００１２】
本発明の第２の態様は、第１の態様において、前記ベルトユニットは、回転に抵抗が与えられた第１プーリーと、自由回転可能な第２プーリーとを備え、前記分離ベルトが、前記第１プーリーと前記第２プーリーと掛け回されていることを特徴とする。
【００１３】
本態様によれば、第１プーリーと第２プーリーとに前記分離ベルトを掛け回す構成である為、前記ベルトユニットを構造簡単にして低コストに構成できる。
【００１４】
本発明の第３の態様は、第２の態様において、前記第１プーリーは媒体給送方向上流側に設けられ、前記第２プーリーは媒体給送方向下流側に設けられていることを特徴とする。  
本態様によれば、回転に抵抗が付与された第１プーリーが媒体給送方向上流側に設けられ、自由回転可能な第２プーリーが媒体給送方向下流側に設けられているので、媒体が前記分離ベルトを動かす際、分離ベルトに弛みが生じ難く、適切な分離を行うことができる。
【００１５】
本発明の第４の態様は、第２のまたは第３の態様において、前記分離ベルトと前記給送ローラーとの接触位置は、前記分離ベルトにおいて媒体給送方向上流寄りにあることを特徴とする。  
本態様によれば、前記分離ベルトと前記給送ローラーとの接触位置は、前記分離ベルトにおいて媒体給送方向上流寄りにあるので、媒体が前記分離ベルトと前記給送ローラーとの接触位置に突入する際に前記分離ベルトが邪魔になり難く、ノンフィードを抑制できる。
【００１６】
本発明の第５の態様は、第１から第４の態様のいずれかにおいて、前記ベルトユニットを前記給送ローラーに対して付勢する付勢手段と、前記付勢手段の付勢力を調整する調整手段とを備えることを特徴とする。
【００１７】
本態様によれば、前記ベルトユニットを前記給送ローラーに対して付勢する付勢手段と、前記付勢手段の付勢力を調整する調整手段とを備えるので、前記付勢力を調整することで、より適切に分離性を向上する効果を得ることができる。
【００１８】
本発明の第６の態様は、第５の態様において、前記調整手段を制御する制御部は、媒体の種類に応じて前記付勢手段の付勢力を調整することを特徴とする。  
本態様によれば、前記調整手段を制御する制御部は、媒体の種類に応じて前記付勢手段の付勢力を調整するので、媒体の種類に応じて前記付勢力を調整することで、更に適切に分離性を向上する効果を得ることができる。
【００１９】
本発明の第７の態様は、第６の態様において、前記制御部は、エンボス加工が施された媒体を給送する場合、前記エンボス加工が施されていない媒体を給送する場合に比して前記付勢力を大きくすることを特徴とする。
【００２０】
エンボス加工が施された媒体は、媒体表面に凸部が形成されているので、分離時に前記凸部が引っ掛かりノンフィードになり易い。しかし本態様によれば、前記調整手段を制御する制御部は、エンボス加工が施された媒体を給送する場合、前記エンボス加工が施されていない媒体を給送する場合に比して前記付勢力を大きくすることで、引っ掛かり部分の摩擦抵抗を上回る程度に媒体の搬送力を向上させることができ、上述した様なノンフィードの発生を抑制できる。
【００２１】
本発明の第８の態様は、第２から第４の態様のいずれかにおいて、前記第１プーリー及び分離ベルトのテンションを調整するテンション調整手段を備えることを特徴とする。  
本態様によれば、前記第１プーリー及び分離ベルトのテンションを調整するテンション調整手段を備えるので、前記テンションを調整することで、より適切に分離性を向上する効果を得ることができる。
【００２２】
本発明の第９の態様に係る画像読取装置は、媒体を読み取る読み取り手段と、前記読み取り手段の側へ媒体を給送する、第１から第８の態様のいずれかに係る媒体給送装置と、を備えたことを特徴とする。
【００２３】
本発明の第１０の態様に係る記録装置は、媒体に記録を行う記録手段と、前記記録手段の側へ媒体を給送する、第１から第８の態様のいずれかに係る媒体給送装置と、を備えたことを特徴とする。
【００２４】
上記第９の態様によれば、画像読取装置において、また上記第１０の態様によれば、記録装置において、それぞれ上述した第１から第８の態様のいずれかと同様な作用効果を得ることができる。
【図面の簡単な説明】
【００２５】
【図１】本発明に係る画像読取装置の媒体給送経路を示す側面図。
【図２】本発明に係るベルトユニットに付勢力を付与する付勢手段と当該付勢力を調整する調整手段とを説明する模式図。
【図３】本発明に係るベルトユニットのテンションを調整するテンション調整手段を説明する模式図。
【図４】本発明に係るベルトユニットを備える記録装置の模式図。
【発明を実施するための形態】
【００２６】
以下、本発明の実施の形態を図面に基づいて説明する。尚、各実施例において同一の構成については、同一の符号を付し、最初の実施例においてのみ説明し、以後の実施例においてはその構成の説明を省略する。
【００２７】
図１は本発明に係る画像読取装置の媒体給送経路を示す側面図であり、図２は本発明に係るベルトユニットに付勢力を付与する付勢手段と当該付勢力を調整する調整手段とを説明する模式図であり、図３は本発明に係るベルトユニットのテンションを調整するテンション調整手段を説明する模式図であり、図４は本発明に係るベルトユニットを備える記録装置の模式図である。
【００２８】
また、各図において示すＸ−Ｙ−Ｚ座標系はＸ方向が装置幅方向であるとともに用紙幅方向、Ｙ方向が画像読取装置における用紙搬送方向、Ｚ方向がＹ方向と直交する方向であり、概ね搬送される用紙の面と直交する方向を示している。尚、各図において−Ｙ方向側を装置前面側とし、＋Ｙ方向側を装置背面側とする。
【００２９】
■■■第１の実施例■■■■
＜＜＜画像読取装置の概要＞＞＞
図１を参照して画像読取装置１０について説明する。本実施例において画像読取装置１０は、「媒体」としての用紙Ｐの表面及び裏面の少なくとも一面を読み取り可能なドキュメントスキャナーとして構成されている。また、図１において符号Ｐが付された太い実線は、画像読取装置１０内において媒体給送経路３０に沿って搬送される用紙の案内経路を示している。
【００３０】
画像読取装置１０は、装置本体１２に設けられた媒体給送装置１４と、搬送ローラー対１６と、「読み取り手段」としての画像読取部１８と、排出ローラー対２０とを備えている。また、装置本体１２の前面側には、排出ローラー対２０から送り出される用紙Ｐを排出する排出口２２が設けられている。
【００３１】
本実施例において、媒体給送装置１４は、媒体載置部２４と、給送ローラー２６と、ベルトユニット２８とを備えている。媒体載置部２４に載置された用紙Ｐは、給送ローラー２６とベルトユニット２８とによりニップされて媒体給送経路３０に沿って給送方向下流側に給送される。本実施例において給送ローラー２６は、不図示の駆動源により回転駆動させられる。また、ベルトユニット２８については後述する。
【００３２】
給送ローラー２６及びベルトユニット２８にニップされて給送方向下流側に送られた用紙Ｐは、搬送ローラー対１６にニップされて、搬送ローラー対１６の下流側に位置する画像読取部１８に搬送される。
【００３３】
尚、搬送ローラー対１６は搬送駆動ローラー１６ａと、搬送駆動ローラー１６ａに対して従動回転する搬送従動ローラー１６ｂを備えている。本実施例において、搬送駆動ローラー１６ａは、不図示の駆動源により回転駆動させられる。
【００３４】
ここで、画像読取部１８は、媒体給送経路３０に沿って搬送される用紙Ｐの上面と対向するように設けられた上部読み取りユニット３２と、媒体給送経路３０に沿って搬送される用紙Ｐの下面と対向するように設けられた下部読み取りユニット３４とを備えている。本実施例において、上部読み取りユニット３２及び下部読み取りユニット３４は読み取りユニットとして構成され、一例として密着型イメージセンサーモジュール（ＣＩＳＭ）として構成されている。
【００３５】
用紙Ｐは、画像読取部１８において用紙Ｐの表面及び裏面の少なくとも一方の面の画像を読み取られた後、画像読取部１８の搬送方向下流側に位置する排出ローラー対２０にニップされて排出口２２から排出される。
【００３６】
また、本実施例において排出ローラー対２０は排出駆動ローラー２０ａと、排出駆動ローラー２０ａに対して従動回転する排出従動ローラー２０ｂを備えている。本実施例において、排出駆動ローラー２０ａは、不図示の駆動源により回転駆動させられる。尚、搬送駆動ローラー１６ａと排出駆動ローラー２０ａとは、共通の駆動源により回転駆動させられてもよく、別々の駆動源により別個に回転駆動させられてもよい。
【００３７】
また、本実施例において装置本体１２内には制御部３６が設けられている。本実施例において制御部３６は、複数の電子部品を備える電気回路として構成されている。制御部３６は、上部読み取りユニット３２、下部読み取りユニット３４及び給送ローラー２６、搬送駆動ローラー１６ａ及び排出駆動ローラー２０ａを回転駆動させる駆動源を制御している。
【００３８】
また、本実施例において制御部３６は、画像読取装置１０における用紙Ｐの搬送及び画像読取動作を制御するように構成されている。また、制御部３６は外部（ＰＣなど）からの指示で画像読取装置１０における原稿読取動作の実行に必要な動作を制御してもよい。
【００３９】
＜＜＜ベルトユニットについて＞＞＞
図１に加えて、図２及び図３を参照して、本実施例に係るベルトユニット２８について説明する。ベルトユニット２８は、第１プーリー３８と、第２プーリー４０と、「分離部材」としての分離ベルト４２とを備えている。本実施例において、第１プーリー３８は、媒体給送経路３０において給送方向上流側に設けられている。そして、第２プーリー４０は、媒体給送経路３０において給送方向下流側に設けられている。分離ベルト４２は、第１プーリー３８と第２プーリー４０とに掛け回されている。
【００４０】
本実施例において、第１プーリー３８は、一例としてトルクリミッタ（不図示）を備えており、このトルクリミッタにより、第１プーリー３８の回転に抵抗が与えられた状態、即ち分離ベルト４２の移動に抵抗が与えられた状態となっている。本実施例において第２プーリー４０は、自由回転が可能に構成されている。
【００４１】
次に、本実施例において、第１プーリー３８と第２プーリー４０とに掛け回された分離ベルト４２の外周面は、高摩擦材料（例えば、ゴムなどのエラストマ等）により構成されている。また、図２及び図３を参照するに、本実施例では、分離ベルト４２における給送ローラー２６との接触位置Ｗ１は、媒体の給送方向において第１プーリー３８寄り、すなわち媒体給送方向上流側に設定されている。具体的には、分離ベルト４２は給送ローラー２６と給送方向に沿って接触長Ｗの範囲で接触している。尚、本実施例において接触位置Ｗ１は分離ベルト４２と給送ローラー２６との接触長Ｗの範囲における給送方向最上流側の位置としている。
【００４２】
本実施例では、回転抵抗が付与された第１プーリー３８を自由回転可能な第２プーリー４０よりも給送方向上流側に配置する構成であるので、分離ベルト４２を動かす際、分離ベルト４２に弛みを生じ難くすることができる。
【００４３】
また、本実施例では分離ベルト４２と給送ローラー２６との接触位置Ｗ１は、分離ベルト４２において媒体給送方向上流寄りにあるので、図２に示すように用紙Ｐが分離ベルト４２と給送ローラー２６との接触位置Ｗ１に突入する際に分離ベルト４２が邪魔になり難く、ノンフィードを抑制できる。
【００４４】
＜＜＜付勢手段及び調整手段について＞＞＞
図２を参照するに、媒体給送装置１４は、ベルトユニット２８を給送ローラー２６に向けて付勢する「付勢手段」としての第１付勢手段４４及び調整手段４６を備えている。図２に示すように、軸受部材４８には、第１プーリー３８の回転軸３８ａ及び第２プーリー４０の回転軸４０ａが回転可能に取り付けられている。そして、軸受部材４８には第１付勢手段４４の一端が接続されている。
【００４５】
また、調整手段４６は、第１カム部材５０と、第１カム当接部材５２とを備えている。第１付勢手段４４の他端は、第１カム当接部材５２に接続されている。尚、本実施例において第１付勢手段４４は一例として圧縮ばねとして構成されている。
【００４６】
本実施例において第１カム部材５０は、回転中心からの外周面５０ａまでの半径方向の距離が周方向に沿って変化する円盤状の偏芯カムとして構成されている。本実施例において外周面５０ａはカム面として構成されている。
【００４７】
第１カム部材５０は、制御部３６により制御される駆動モーター５４により回転駆動される。第１カム部材５０の回転駆動により、第１カム部材５０の外周面（カム面）５０ａと当接する第１カム当接部材５２は、給送ローラー２６に対して接離する方向（図２におけるＺ軸方向）において進退する。これにより、第１付勢手段４４の長さが変化し、第１付勢手段４４の付勢力が調整される。
【００４８】
本実施例において第１付勢手段４４の付勢力は、軸受部材４８を介して第１プーリー３８の回転軸３８ａ及び第２プーリー４０の回転軸４０ａに作用する。これにより、分離ベルト４２、ひいてはベルトユニット２８が給送ローラー２６に向けて付勢される。そして、第１付勢手段４４の付勢力を調整することにより、分離ベルト４２の給送ローラー２６への付勢力を調整できる。
【００４９】
ここで、分離ベルト４２による用紙Ｐの給送について説明する。本実施例において分離ベルト４２が給送ローラー２６と直接接触している状態では、給送ローラー２６から受ける回転トルクが第１プーリー３８のトルクリミッタのリミットトルクを超える為、第１プーリー３８、ひいては分離ベルト４２が給送ローラー２６に従動して回転する（図１ないし図３において時計回り方向）。
【００５０】
そして図２に示すように媒体載置部２４から用紙Ｐの給送が開始され、給送ローラー２６と分離ベルト４２との間に複数枚の原稿が入り込むと、分離ベルト４２、ひいては第１プーリー３８は給送ローラー２６から回転トルクを受けなくなり、給送ローラー２６に従動した回転が止まる。これにより給送されるべき最下位の原稿を除く上位の原稿（重送を防止すべき原稿）は、下流側へ進む為の搬送力を受けず、その先端が分離ベルト４２に当接した状態のまま給送方向下流側に進むことができない。これにより、原稿の重送が防止される。尚、給送されるべき最下位の原稿は、給送ローラー２６と直接接触している為、給送ローラー２６から受ける搬送力によって下流側に進む。
【００５１】
ここで、本実施例では、分離ベルト４２は第１付勢手段４４により給送ローラー２６に向けて付勢されているので、給送ローラー２６に対する分離ベルト４２の接触長Ｗを長くすること、すなわち用紙Ｐをグリップするためのグリップ面積を増加させることができる。その結果、用紙Ｐの分離性を向上させることができ、用紙Ｐの重送を防止、あるいは抑制できる。
【００５２】
また、本実施例では、分離部材を分離ベルト４２として構成することにより、分離ベルト４２を給送ローラー２６に向けて付勢する付勢力を必要以上に増やすことなく、また分離ベルト４２の材質を必要以上に柔らかくすることなく、給送ローラー２６に対する分離ベルト４２の接触長Ｗを長くすることができ、用紙Ｐをグリップするためのグリップ面積を増加させることができる。
【００５３】
また、本実施例において、制御部３６は、予めユーザーが画像読取装置１０に入力した、あるいは外部機器から入力された用紙Ｐの種類に基づいて、用紙Ｐの給送前に駆動モーター５４を回転駆動させて第１カム部材５０、すなわち調整手段４６により第１付勢手段４４の付勢力を調整する。これにより、入力された種類の用紙Ｐに対する適切な付勢力で分離ベルト４２は給送ローラー２６に対して付勢されるので、入力された種類の用紙Ｐに対する分離性を向上させることができる。
【００５４】
具体的には、例えば用紙間の摩擦係数が大きく重送の生じ易い用紙（例えばコート層を有する専用紙など）の場合には、第１付勢手段４４の付勢力を強くし、例えばジャムの生じ易い薄手の用紙の場合には、第１付勢手段４４の付勢力を弱くする。  
尚、用紙Ｐの種類は、より具体的には用紙厚で分類することができ、この用紙厚は、超音波センサーなどの検出手段によって検出することができる。
【００５５】
さらに、制御部３６は、入力された用紙Ｐの種類がエンボス加工をされた用紙である場合、エンボス加工をされていない用紙に比べて分離ベルト４２の給送ローラー２６に対する付勢力が大きくなるように駆動モーター５４、ひいては調整手段４６を制御する。
【００５６】
その結果、用紙表面に凸部が形成されたエンボス加工の用紙Ｐにおいて、分離時に凸部が給送ローラー２６や分離ベルト４２に引っ掛かっても、引っ掛かり部分の摩擦抵抗を上回る程度に搬送力を向上させることができ、ノンフィードとなることを防止、あるいは抑制できる。
【００５７】
■■■第２の実施例■■■■
＜＜＜テンション調整手段について＞＞＞
次いで、図３を参照して、画像読取装置１０の第２の実施例について説明する。本実施例では、媒体給送装置１４は、テンション調整手段５６を備えている。テンション調整手段５６は、第２カム部材５８と、第２カム当接部材６０と、第２付勢手段６２とを備えている。本実施例において、第２付勢手段６２の一端は、第１プーリー３８の回転軸３８ａに接続されている。尚、本実施例において第２付勢手段６２は一例として引っ張りばねとして構成されている。
【００５８】
本実施例において第２カム部材５８は、回転中心からの外周面５８ａまでの半径方向の距離が周方向に沿って変化する円盤状の偏芯カムとして構成されている。本実施例において外周面５８ａはカム面として構成されている。第２カム部材５８は、制御部３６により制御される駆動モーター６４により回転駆動される。
【００５９】
第２カム当接部材６０には、揺動軸６０ａが設けられている。そして、第２カム当接部材６０は揺動軸６０ａを揺動中心として揺動可能に構成されている。第２カム当接部材６０の一端には、第２付勢手段６２の他端が接続されている。また、揺動軸６０ａを挟んで第２カム当接部材６０の一端と反対側の他端は、第２カム部材５８の外周面（カム面）５８ａと当接している。尚、第２カム当接部材６０の他端は、第２付勢手段６２の付勢力により第２カム部材５８に向けて付勢されている。
【００６０】
第２カム部材５８が駆動モーター６４により回転駆動させられると、第２カム当接部材６０は、揺動軸６０ａを揺動中心として揺動する。そして、第２カム当接部材６０の一端が第２付勢手段６２の付勢力に抗して第１プーリー３８から離間する方向に揺動すると、第２付勢手段６２の他端が第２カム当接部材６０に引っ張られる。これにより、第２付勢手段６２の付勢力が増大する。
【００６１】
一方、第２カム当接部材６０の一端が第１プーリー３８に接近する方向に揺動すると、第１プーリー３８を付勢する第２付勢手段６２の付勢力が減少する。つまり、第２カム部材５８を回転駆動させて、第２カム当接部材６０を揺動させると、第２付勢手段６２のＹ軸方向における長さが変化し、第２付勢手段６２の付勢力が調整される。
【００６２】
また、第２付勢手段６２により第１プーリー３８の回転軸３８ａは、本実施例では給送方向上流側に付勢されている。そして、第２カム当接部材６０の一端を第１プーリー３８から離間する方向に揺動させて、第２付勢手段６２の他端を第２カム当接部材６０に引っ張らせると、分離ベルト４２のテンションが増大する。
【００６３】
一方、第２カム当接部材６０の一端を第１プーリー３８に接近する方向に揺動させると、第１プーリー３８を付勢する第２付勢手段６２の付勢力が減少する。その結果、分離ベルト４２のテンションが減少する。つまり、第２付勢手段６２の付勢力を調整することにより、第１プーリー３８及び分離ベルト４２のテンションを調整できる。
【００６４】
＜＜＜各実施例における変更例＞＞＞
（１）上記各実施例においてベルトユニット２８の第１プーリー３８にはトルクリミッタを備える構成としたが、この構成に代えて、制御部３６により制御される駆動源により第１プーリー３８を給送ローラー２６の回転方向（図１ないし図３における反時計周り方向）と逆方向（図１ないし図３における反時計回り方向）に回転させる構成としてもよい。
（２）上記各実施例において第１プーリー３８にトルクリミッタを備える構成としたが、この構成に代えて、第２プーリー４０にトルクリミッタを備える構成としてもよい。
（３）第１の実施例において、第１付勢手段４４の付勢力を第１カム部材５０で調整する構成としたが、この構成に代えて、第１付勢手段４４の軸線方向に沿って伸縮するシリンダ部材やソレノイド等で構成してもよい。
（４）第２の実施例において、第２付勢手段６２の付勢力を第２カム部材５８で調整する構成としたが、この構成に代えて、第２付勢手段６２の軸線方向に沿って伸縮するシリンダ部材やソレノイド等で構成してもよい。
（５）また、上記各実施例において媒体給送装置１４を画像読取装置１０に適用したが、この構成に代えて、図４に示すように記録装置の一例であるプリンター７０に媒体給送装置１４を適用する構成としてもよい。具体的には、プリンター７０は用紙Ｐに向けてインクを吐出して記録を行う記録ヘッド６６と、装置幅方向（図４における紙面と交差する方向）に移動可能であり、その下部に記録ヘッド６６が設けられたキャリッジ６８とを備えている。そして、媒体載置部２４から媒体給送装置１４により記録ヘッド６６と対向する領域に用紙Ｐを給送する構成としてもよい。
【００６５】
上記説明をまとめると、媒体給送装置１４は、用紙を載置する媒体載置部２４と、媒体載置部２４から用紙Ｐを送り出す給送ローラー２６と、給送ローラー２６との間で用紙Ｐをニップすることにより用紙Ｐを分離する分離ベルト４２を備えたベルトユニットとを備える。
【００６６】
上記構成によれば、分離ベルト４２を分離部材として、当該分離ベルト４２により用紙Ｐを給送ローラー２６との間でニップすることで用紙Ｐの分離を行うので、分離ベルト４２を給送ローラー２６に向けて付勢する付勢力を必要以上に増やすことなく、また、分離ベルト４２の材質を必要以上に柔らかくすることなく、用紙Ｐと分離ベルト４２との接触長Ｗを確保することができ、ひいては適切に分離性を向上する効果を得ることができる。
【００６７】
ベルトユニット２８は、回転に抵抗が与えられた第１プーリー３８と、自由回転可能な第２プーリー４０とを備え、分離ベルト４２が、第１プーリー３８と第２プーリー４０とに掛け回されている。この構成によれば、第１プーリー３８と第２プーリー４０とに分離ベルト４２を掛け回す構成である為、ベルトユニット２８を構造簡単にして低コストに構成できる。
【００６８】
第１プーリー３８は媒体給送方向上流側に設けられ、第２プーリー４０は媒体給送方向下流側に設けられている。この構成によれば、用紙Ｐが分離ベルト４２を動かす際、分離ベルト４２に弛みが生じ難く、適切な分離を行うことができる。
【００６９】
分離ベルト４２と給送ローラー２６との接触位置Ｗ１は、分離ベルト４２において媒体給送方向上流寄りにある。この構成によれば、用紙Ｐが分離ベルト４２と給送ローラー２６との接触位置に突入する際に分離ベルト４２が邪魔になり難く、ノンフィードを抑制できる。
【００７０】
ベルトユニット２８を給送ローラー２６に対して付勢する第１付勢手段４４と、第１付勢手段４４の付勢力を調整する調整手段４６とを備える。この構成によれば、付勢力を調整することで、より適切に分離性を向上する効果を得ることができる。
【００７１】
調整手段４６を制御する制御部３６は、用紙の種類に応じて第１付勢手段４４の付勢力を調整する。この構成によれば、用紙Ｐの種類に応じて付勢力を調整することで、更に適切に分離性を向上する効果を得ることができる。
【００７２】
制御部３６は、エンボス加工が施された用紙Ｐを給送する場合、エンボス加工が施されていない用紙を給送する場合に比して第１付勢手段４４の付勢力を小さくする。
【００７３】
エンボス加工が施された用紙Ｐは、用紙Ｐの表面に凸部が形成されているので、分離時に凸部が引っ掛かりノンフィードになり易い。しかし上記構成によれば、調整手段４６を制御する制御部３６は、エンボス加工が施された用紙Ｐを給送する場合、エンボス加工が施されていない用紙Ｐを給送する場合に比して第１付勢手段４４の付勢力を大きくするので、引っ掛かり部分の摩擦抵抗を上回る程度に搬送力を向上させることができ、上述した様なノンフィードの発生を抑制できる。
【００７４】
第１プーリー３８及び分離ベルト４２のテンションを調整するテンション調整手段５６を備える。この構成によれば、テンションを調整することで、より適切に分離性を向上する効果を得ることができる。
【００７５】
画像読取装置１０は、媒体を読み取る画像読取部１８と、画像読取部１８の側へ用紙Ｐを給送する媒体給送装置１４と、を備えている。
【００７６】
プリンター７０は、用紙Ｐに記録を行う記録ヘッド６６と、記録ヘッド６６の側へ用紙Ｐを給送する媒体給送装置１４と、を備えている。
【００７７】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７８】
１０…画像読取装置、１２…装置本体、１４…媒体給送装置、１６…搬送ローラー対、１６ａ…搬送駆動ローラー、１６ｂ…搬送従動ローラー、１８…画像読取部、２０…排出ローラー対、２０ａ…排出駆動ローラー、２０ｂ…排出従動ローラー、２２…排出口、２４…媒体載置部、２６…給送ローラー、２８…ベルトユニット、３０…媒体給送経路、３２…上部読み取りユニット、３４…下部読み取りユニット、３６…制御部、３８…第１プーリー、３８ａ、４０ａ…回転軸、４０…第２プーリー、４２…分離ベルト、４４…第１付勢手段、４６…調整手段、４８…軸受部材、５０…第１カム部材、５０ａ、５８ａ…外周面（カム面）、５２…第１カム当接部材、５４、６４…駆動モーター、５６…テンション調整手段、５８…第２カム部材、６０…第２カム当接部材、６０a…揺動軸、６２…第２付勢手段、６６…記録ヘッド、６８…キャリッジ、７０…プリンター、Ｐ…用紙、Ｗ…接触長、Ｗ１…接触位置
【図１】
0006746967.tif 000002
【図２】
0006746967.tif 000003
【図３】
0006746967.tif 000004
【図４】
0006746967.tif 000005